(57)【要約】【課題】蝶結び本体を靴紐締付具に安定に固定することができ、外観を良好に保つことができる蝶結び付き留め装置を提供する。【解決手段】蝶結び本体２の中央部２１寄りの内縁を貫通して各輪の中空部２０を横切って繋ぐ可撓性/柔軟性の細い線材でなる第１の連結部材２３と、フレーム１２とを靴紐締留め具１の両端に設けられた第２の連結部材１５によって連結する。この構造によって、蝶結び本体２を靴紐締留め具１のベース１１に安定に定位させることができ、従来のようなフックの脱落、蝶結び本体の脱線などの問題がなく、外観を良好に保つことができる。【選択図】図２
0003157453.tif 000002
【実用新案登録請求の範囲】
【請求項１】
靴の履き口に近いはと目の間に蝶結びを位置付けると共に、靴紐の前記はと目から出された先端部を留めるための蝶結び付き靴紐留め装置であって、
前記蝶結びの結びを形成する中央部を挟んで両側にそれぞれ輪を形成し、各前記輪の前記中央部寄りの内縁を貫通して各前記輪の中空部を横切って繋ぐ第１の連結部材が取り付けられた全体がボウタイ形状をしてなる蝶結び本体と、
前記蝶結び本体を留めるベースと該ベースの両側にそれぞれ前記靴紐を通すホールを画成するように取り付けられたフレームとを有し、それぞれの締め枠が摺動自在に前記フレームを跨って、各前記ホールを前記靴紐の入り口としてのインホール及び前記靴紐の出口としてのアウトホールに仕切ってなり、前記フレームと前記第１の連結部材とを連結する第２の連結部材が両端に設けられ、前記フレームと前記締め枠とにより、前記インホールを通って当接した前記締め枠を回り込みながら前記アウトホールから出た靴紐の先端部の一部が外部に残るように同先端部を締め付けて留める靴紐締留め具と、
を備えたことを特徴とする蝶結び付き靴紐留め装置。
【請求項２】
前記第１の連結部材は、各前記輪の内縁に貫通して繋ぐ可撓性又は柔軟性を有する線材であることを特徴とする請求項１に記載の蝶結び付き靴紐留め装置。
【請求項３】
前記第１の連結部材は、前記線材によって、各前記輪の中空部を横切って同輪の内縁を貫通する２つのループ状に形成されることを特徴とする請求項２に記載の蝶結び付き靴紐留め装置。
【請求項４】
前記第１の連結部材は、前記線材で、前記中央部を経て１つの∞の字形に交わってなるように線材の一端は一方の輪の中空部を横切って同輪の内縁を貫通すると共に前記線材の他端を他方の輪の内縁を貫通して同輪の中空部を横切って同輪の内縁を貫通することを特徴とする請求項２に記載の蝶結び付き靴紐留め装置。
【請求項５】
前記蝶結び本体の中央部を挟持して前記ベースに固定する第３の連結部材が取り付けられることを特徴とする請求項１に記載の蝶結び付き靴紐留め装置。
【請求項６】
前記ベース及び前記蝶結び本体の中央部を取り囲むリングが取り付けられることを特徴とする請求項１に記載の蝶結び付き靴紐留め装置。
【請求項７】
前記ベースの、前記蝶結び本体を取り付けて前記リングで取り囲まれた表面部と逆側の裏面部を遮へいする覆いが取り付けられることを特徴とする請求項６に記載の蝶結び付き靴紐留め装置。
【考案の詳細な説明】
【技術分野】
【０００１】
本考案は、紐などの帯状部材を締付けるのに用いられる留め装置に関し、特に、靴に蝶結びを配置し、靴紐を締付けて留めるための蝶結び付靴紐留め装置に関する。
【背景技術】
【０００２】
従来、靴を足及び足首にしっかりと固定するために靴紐がよく使われており、靴のフラップに設けられた２列のはと目に靴紐の両端部を交差させて通しながら靴の履き口に最も近い一対のはと目の間に蝶結びで留めることが一般的であるが、靴を履いて動いている間に、結び目が自然に緩んだりほどけたりすることがある。そこで、従来より、その蝶結びを保持すると共に靴紐を留めるために、例えば図７、８に示す靴紐留め装置が提案されている。
【０００３】
図７、８は、従来の蝶結び付き留め装置７の一例を示す斜視図及び蝶結び付き留め装置７を用いて靴紐８を靴９に装着した状態を示す図である。この蝶結び付留め装置７は、ボウタイ形状をした蝶結び本体７１と、該蝶結び本体７１を取り付けて定位させる靴紐締付具７２とからなり、蝶結び本体７１として帯状物でほぼ中央に付いた結び目７１１を介して左、右側に輪７１２を形成してなり、結び目７１１から線７１３が引き出され、靴紐締付具７２のベース体７２１に形成された貫通孔７２１ａを介して留められると共に、輪７１２の結び目近くにフック７１４が設けられ、ベース体７２１の両側に取り付けられたフレーム７２２における外枠７２２ａに引掛けて靴紐締付具７２に定位される。靴紐締付具７２の両側にあるフレーム７２２によって画成された通孔７４はそれぞれ締め枠７３によって、ベース体７２１に近い内側孔部７４１及びベース体７２１から離れた外側孔部７４２に仕切られる。図８に示されるように、靴９のはと目９１に通された靴紐８の２つの先端部８１がそれぞれ、下側から内側孔部７４１を通りながら締め枠７３を上から回り込んで折り曲げて下向きに外側孔部７４２に通されると共に、締め枠７３を外側に引き寄せて、フレーム７２２の外枠７２２ａと一緒に外側孔部７４２に通された部分を挟持すると共に締め付け、通常先端にアグレットをつけた先端部を蝶の触角のようにして外部に残す。このように、この留め装置７を使って靴９の一対のはと目９１の間に蝶結びを飾りとして靴紐８を留めることができる。
【先行技術文献】
【特許文献】
【０００４】
【特許文献１】米国特許第7313849号公報
【考案の概要】
【考案が解決しようとする課題】
【０００５】
この従来の蝶結び付き靴紐留め装置７を用いると、靴紐８で蝶結びをしなくても靴９に蝶結びを付けて靴紐８を留めることができるが、複数のフック７１４を対応するフレーム７２２の外枠７２２ａに引掛けようとして力を加えると、フック７１４のフック開口が広くなったり、フック７１４の蝶結び本体７１からの脱落、蝶結び本体７１の脱線等が発生したりすることがあり、蝶結びの外観が損なわれ、蝶結びの固定ができなくなるため、なおも改善すべきところがある。
【０００６】
本考案は、上記問題点に鑑みてなされたものであり、蝶結び本体が靴紐締付具に安定に固定されることができ、外観を良好に保つことができる蝶結び付き留め装置を提供することを目的とする。
【課題を解決するための手段】
【０００７】
上記目的を達成するために、本考案は、靴の履き口に近いはと目の間に蝶結びを位置付けると共に、靴紐のはと目から出された先端部を留めるための蝶結び付き靴紐留め装置であって、蝶結びの結びを形成する中央部を挟んで両側にそれぞれ輪を形成し、各輪の中央部寄りの内縁を貫通して各中空部を横切って繋ぐ第１の連結部材が取り付けられた全体がボウタイ形状をしてなる蝶結び本体と、蝶結び本体を留めるベースと該ベースの両側にそれぞれ靴紐を通すホールを画成するように取り付けられたフレームとを有し、それぞれの締め枠が摺動自在に、フレームを跨って、各ホールを靴紐の入り口としてのインホール及び靴紐の出口としてのアウトホールに仕切ってなり、フレームと第１の連結部材とを連結する第２の連結部材が両端に設けられ、フレームと締め枠とにより、インホールを通って当接した締め枠を回り込みながらアウトホールから出た靴紐の先端部の一部が外部に残るように同先端部を締め付けて留める靴紐締留め具と、を備えたことを特徴とする蝶結び付き靴紐留め装置を提供する。
【０００８】
前記蝶結び付き靴紐留め装置においては、第１の連結部材として、各輪の内縁に貫通して繋ぐ可撓性又は柔軟性を有する線材でなり、一例としては、線材によって、各輪の中空部を横切って同輪の内縁を貫通する２つのループ状に形成されており、他例としては、線材で、中央部を経て１つの∞の字形に交わってなるように線材の一端は一方の輪の中空部を横切って同輪の内縁を貫通すると共に線材の他端を他方の輪の内縁を貫通して同輪の中空部を横切って同輪の内縁を貫通するようにする。
【０００９】
前記蝶結び付き靴紐留め装置においては、蝶結び本体の中央部を挟持してベースに固定する第３の連結部材が取り付けられることが好ましい。
【００１０】
前記蝶結び付き靴紐留め装置においては、ベース及び蝶結び本体の中央部を取り囲むリングが取り付けられることが好ましい。
【００１１】
前記蝶結び付き靴紐留め装置においては、ベースの、蝶結び本体を取り付けてリングで取り囲まれた表面部と逆側の裏面部を遮へいする覆いが取り付けられることが好ましい。
【考案の効果】
【００１２】
上記の構成によれば、第１の連結部材を用いて、蝶結び本体の中央部寄りの内縁を貫通して繋ぎ、第２の連通部材を用いて、フレームと第１の連結部材を連結するので、蝶結び本体を靴紐締留め具のベースに安定に定位させることができ、従来例のようなフック７１４の脱落、蝶結び本体７１の脱線などの問題がなく、外観を良好に保つことができる。
【図面の簡単な説明】
【００１３】
【図１】本考案の蝶結び付き靴紐留め装置を用いて靴紐を靴に取り付けた状態を示す斜視図である。
【図２】本考案の蝶結び付き靴紐留め装置の一実施の形態例を示す分解斜視図である。
【図３】同装置における蝶結び本体の第１の連結部材の他の一例を示す図である。
【図４】同装置におけるリングを一部切り取って示す底面図である。
【図５】図４における線５−５の断面図である。
【図６】同装置の靴紐の締付けを解除した状態を示す断面図である。
【図７】従来の蝶結び付き留め装置の一例を示す斜視図である。
【図８】同従来の蝶結び付き留め装置を用いて靴紐を靴に装着した状態を示す図である。
【考案を実施するための形態】
【００１４】
以下、添付の図面に基づいて本考案の蝶結び付き靴紐留め装置の一実施の形態を説明する。
【００１５】
図１は、本考案の蝶結び付き靴紐留め装置１００を用いて靴紐８を靴９に取り付けた状態を示す斜視図、図２は、本考案の蝶結び付き靴紐留め装置１００の一実施の形態を示す分解斜視図、図３は、同装置１００における蝶結び本体２の第１の連結部材の他の例を示す図、図４は、同装置１００におけるリング３を一部切り取って示す底面図、図５は、図４における線５−５の断面図である。この蝶結び付き靴紐留め装置１００は、靴９の履き口９０に近いはと目９１の間に蝶結びを位置付けると共に、靴紐８のはと目９１から出された先端部８１を締め留めるための蝶結び付き靴紐留め装置１００であって、全体がボウタイ形状をしてなる蝶結び本体２と、靴紐８の先端部８１の一部が外部に残るように同先端部８１を留める靴紐締留め具１とを備えている。
【００１６】
蝶結び本体２は、通常靴紐と同一の部材で蝶結びの結びを形成する中央部２１を介して両側にそれぞれ輪２２を形成し、各輪２２の中央部２１寄りの内縁を貫通して各輪２２の中空部２０を横切って繋ぐ第１の連結部材２３が取り付けられている。
【００１７】
第１の連結部材２３は、各輪２２の内縁に貫通して繋ぐ可撓性又は柔軟性を有する線材でなる。この例では、各第１の連結部材２３は、中央部２１の近くで、線材によって、各輪２２の中空部２０を横切って同輪２２の内縁を貫通するループ状に形成されているが、図３に示されるように、蝶結び本体２Ａにおいては、この第１の連結部材２３Ａは、中央部２１を経て１つの∞の字形になるように、線材の一端が、一方の輪２２の中空部２０を横切って同輪２２の内縁を貫通すると共に、線材の他端が他方の輪２２の内縁を貫通して同輪２２の中空部２０を横切って同輪２２の内縁を貫通し、中央部２１の近傍で結び目を形成して定位させるように設けられる。
【００１８】
靴紐締留め具１は、蝶結び本体２を留めるベース１１と該ベース１１の両側にそれぞれ靴紐８を通すホール１３を画成するように取り付けられたフレーム１２とを有し、それぞれ締め枠１４が摺動自在に、フレーム１２の相対する２つの外枠１２４、１２５を跨って、各ホール１３を靴紐８の入り口としてのインホール１３１及び靴紐８の出口としてのアウトホール１３２に仕切ってなる。この例では、インホール１３１は、ベース１１に近く、アウトホール１３２はベース１１から離れて設けられているとする。
【００１９】
ベース１１は、板材等でその両端部１１１、１１２を折り曲げて軸孔１１１０、１１２０を形成しており、図４に示すように、フレーム１２は棒材などで口の字形に折り曲げられ、両端部１２１、１２２が折り合わされて、ベース１１の両端側の軸孔１１１０、１１２０内に回転自在に収まる。
【００２０】
フレーム１２と第１の連結部材２３は、第２の連結部材１５によって引掛けられて連結されている。この例では、第２の連結部材１５は、金属板材等でその両端１５１、１５２をそれぞれフレーム１２と第１の連結部材２３とに引掛けるフック状に折り曲げている。
【００２１】
ベース１１のほぼ中央に３つの小穴１１５が所定の間隔をおいて形成されており、３本のピン１６１を持ったフォーク状第３の連結部材１６が、蝶結び本体２の中央部２１を挟持して各小穴１１５に挿入され、係止されることによって、蝶結び本体２を靴紐締留め具１に安定に定位させることができる。
【００２２】
ベース１１及び蝶結び本体２の中央部２１は、リング３で取り囲んで取り付けられ、覆い１７で、リング３で取り囲まれたベース１１の、蝶結び本体２を取り付けた表面部と逆側の裏面部を遮へいしている。
【００２３】
次に、本実施の形態にかかる蝶結び付き靴紐留め装置１００の動作を説明する。図５は、この蝶結び付き靴紐留め装置１００を用いて靴紐８を締付けた状態を示す断面図、図６は、この装置１００による靴紐８の締付けを解除した状態を示す断面図である。
【００２４】
この蝶結び付き靴紐留め装置１００を用いて靴を履くとき、第２の連結部材１５を用いて第１の連結部材２３とフレーム１２の外枠１２３を引掛けて連結し、第３の連結部材１６で蝶結び本体２の中央部２１に留めて定位させ、リング３と覆い１７を用いて蝶結び本体２を安定に靴紐締留め具１に固定することができる。靴紐８を靴９の２列のはと目９１に交差挿通した後、靴紐８のはと目９１から出た先端部８１を下からインホール１３１に挿入し、締め枠１４を上から回り込んでアウトホール１３２を挿通して該先端部８１の一部を蝶結びの触角のようにして残す。そして、着用者の足が靴９の中に入っている状態において靴９内に入っている足で靴９のフラップに対して突っ張っているとはと目９１を挿通した靴紐８を押し突けながら該先端部８１を引張ると、締め枠１４が外側に滑り移動してフレーム１２の外枠と一緒に該先端部８１をきつく挟持して留めることができる。
【００２５】
次いで、靴９を脱ごうとするとき、図６に示されるように、蝶結び本体２の各輪２２を上へ引張ると、フレーム１２の外枠１２３を回転自在に引掛けた第２の連結部材１５が上側に揺動して、はと目９１に挿通した靴紐８による引っ張り力により締め枠１４がベース１１側に滑り移動することができる。このようにして、締め枠１４とフレーム１２の外枠１２３による靴紐８に対する挟持を緩めることができる。
【００２６】
従って、以上の操作により、靴の着脱を簡単に行うことができ、使い勝手がよい。
【００２７】
以上により、本考案の蝶結び付き靴紐留め装置によれば、以下の効果を奏することができる。
【００２８】
即ち、
一、線材でなる第１の連結部材２３を蝶結び本体２に直接貫通して連結するので、靴９を脱ごうとするとき、蝶結び本体２の構造を損なうことなく蝶結び本体２の各輪２２を引張ることができる。
【００２９】
二、第２の連結部材１５によって第１の連結部材２３及びフレーム１２に引掛けて連結されているので、蝶結び本体２を靴紐締留め具１に強固に連結させることができ、蝶結びが付いている靴９の外観を良好に保つことができる。
【産業上の利用可能性】
【００３０】
本考案の蝶結び付き靴紐留め装置は、蝶結びをつける靴やパッケージなどに有用である。
【符号の説明】
【００３１】
１００  蝶結び付き靴紐留め装置
１  靴紐締留め具
１１  ベース
１１１、１１２  端部
１１１０、１１２０  軸孔
１１５  小穴
１２  フレーム
１２１、１２２  端部
１２３、１２４、１２５  外枠
１３  ホール
１３１  インホール
１３２  アウトホール
１４  締め枠
１５  第２の連結部材
１５１、１５２  端
１６  第３の連結部材
１６１  ピン
１７  覆い
２、２Ａ  蝶結び本体
２０  中空部
２１  中央部
２２  輪
２３  第１の連結部材
３  リング
８  靴紐
８１  先端部
９  靴
９０  履き口
９１  はと目
【図１】
0003157453.tif 000003
【図２】
0003157453.tif 000004
【図３】
0003157453.tif 000005
【図４】
0003157453.tif 000006
【図５】
0003157453.tif 000007
【図６】
0003157453.tif 000008
【図７】
0003157453.tif 000009
【図８】
0003157453.tif 000010